(57)【要約】【課題】  本発明は、離れた操作基板と制御基板間のデータ通信精度を向上した冷蔵庫を提供することを目的とする。【解決手段】  冷蔵庫１００本体の制御を行う制御基板４１と、貯蔵室を開閉する扉に設けられて冷蔵庫１００の機能を選択する操作基板５０と、を備え、操作基板５０と制御基板４１は離れて配置されて無線通信を行うことを特徴とする。また、操作基板５０への電源供給は、電極による電気的接触によって行うことを特徴とする。【選択図】図２
2014020731.tif 000002
【特許請求の範囲】
【請求項１】
冷蔵庫本体の制御を行う制御基板と、貯蔵室を開閉する扉に設けられて前記冷蔵庫の機能を選択する操作基板と、を備え、
前記操作基板と前記制御基板は離れて配置されて無線通信を行うことを特徴とする冷蔵庫。
【請求項２】
請求項１において、前記操作基板への電源供給は、電極による電気的接触によって行うことを特徴とする冷蔵庫。
【発明の詳細な説明】
【技術分野】
【０００１】
本発明は、冷蔵庫に関する。
【背景技術】
【０００２】
本技術分野の背景技術として、特開２０１２−４７３６５号公報（特許文献１）がある。特許文献１には、「所定条件の場合に使用者が認識するように表示する表示部と、該表示部へ表示指令を行う制御基板と、貯蔵室を開閉する開閉扉と、該開閉扉の開閉を検知する扉開閉スイッチと、該扉開閉スイッチより前記開閉扉の開時間又は閉時間を積算する手段若しくは開閉数を積算する手段と、を備え、該積算時間又は開閉数が所定値以下である場合、前記所定条件であるとして前記表示部を表示すること」が記載されている。
【０００３】
すなわち、従来の冷蔵庫は、冷蔵庫本体の上面や背面に配置された制御基板と、扉や貯蔵室内に配置された表示部（操作基板）とを備え、制御基板から操作基板まで有線接続されて、操作基板の入力情報を制御基板に送信したり、表示部のＬＥＤを点灯／消灯したりしている。
【先行技術文献】
【特許文献】
【０００４】
【特許文献１】特開２０１２−４７３６５号公報
【発明の概要】
【発明が解決しようとする課題】
【０００５】
しかし、冷蔵庫の高機能化に伴い、操作基板に表示する内容や操作するスイッチ数が増え、制御基板から直接ＬＥＤを点灯させたりスイッチの操作を検知したりする方式を採ると、配線数が増加してしまう。この配線数の増加を解消する為に、操作基板にマイコンを搭載して、制御基板と操作基板を有線通信させる方式が用いられている。
【０００６】
操作基板にマイコンを搭載させる方式であっても、制御基板と操作基板とで通信信号を伝達する信号線と、操作基板上のマイコンを駆動させる為の電源（Ｖｃｃ）及びグラウンド（Ｖｓｓ）の配線が必要である。通信方式によって線数は異なるが、最低でも３本は必要になる。この配線は、操作基板が扉に設置されている場合、冷蔵庫本体に扉を回転自在に支持するヒンジ部分を通って配線されている。
【０００７】
このような有線方式の通信の場合、ヒンジ部分を通す配線の本数には限界があり、設計上の制約となっていた。
【０００８】
また、制御基板と操作基板のマイコン間でデータ通信を行う際の有線通信では、外来ノイズの影響を受け難いような電圧や電流で信号を送る必要があり、マイコンの駆動やＬＥＤの点灯と同程度の電力が必要となる場合がある。
【０００９】
そこで、本発明は、離れた操作基板と制御基板間のデータ通信精度を向上した冷蔵庫を提供することを目的とする。
【課題を解決するための手段】
【００１０】
本発明では、上述の課題を解決するため、例えば特許請求の範囲に記載の手段を採用する。一例として、冷蔵庫本体の制御を行う制御基板と、貯蔵室を開閉する扉に設けられて前記冷蔵庫の機能を選択する操作基板と、を備え、前記操作基板と前記制御基板は離れて配置されて無線通信を行うことを特徴とする。
【発明の効果】
【００１１】
本発明によれば、離れた操作基板と制御基板間のデータ通信精度を向上した冷蔵庫を提供することができる。
【図面の簡単な説明】
【００１２】
【図１】本発明に係る冷蔵庫の一実施例であって、（ａ）外観正面図および（ｂ）断面側面図である。
【図２】図１に示した冷蔵庫の部分分解斜視図である。
【発明を実施するための形態】
【００１３】
以下、本発明に係る冷蔵庫の一実施例について、図面を用いて説明する。図１は、冷蔵庫１００の説明図であり、図１（ａ）は冷蔵庫本体の外観正面図、図１（ｂ）は冷蔵庫本体の断面側面図である。
【００１４】
冷蔵室２２は、左右の独立した扉（左冷蔵室扉２２ａ，右冷蔵室扉２２ｂ）で覆われている。各扉（左冷蔵室扉２２ａ，右冷蔵室扉２２ｂ）は、その幅方向端部を軸に回動可能なフレンチタイプのドアとなっている。
【００１５】
本実施例の冷蔵庫１００は、複数の貯蔵室を有しており、最上部に冷蔵室２２が、冷蔵室の真下側の左側には製氷室２３が、右側には上段冷凍室２４が形成されている。製氷室２３及び上段冷凍室２４の真下には下段冷凍室２５が、この下段冷凍室２５の真下であって冷蔵庫１００の最下部には野菜室２６が形成されている。
【００１６】
各貯蔵室は、扉とそれに付属するパッキン１１で気密に覆われている。冷蔵室２２の両扉（左冷蔵室扉２２ａ，右冷蔵室扉２２ｂ）は、冷蔵庫１００の上部に設けられたヒンジ３（左ヒンジ３ａ、右ヒンジ３ｂ）等により、回転自在に軸支されている。すなわち、左右開き式に構成されたフレンチドアを構成している。
【００１７】
ここで、冷蔵室２２を覆う左冷蔵室扉２２ａの上下方向中間部には、詳細を後述する操作表示部５０が設けられている。
【００１８】
図１（ｂ）において、冷蔵庫１００は、外箱２１と内箱２０間に断熱材を充填して形成された断熱箱体１９により、貯蔵室を形成する。外箱２１は、天井部に天板２１ａを、背面側に後板２１ｂを有している。貯蔵室は、上下方向に複数段、本実施例では３段に設けられた仕切り部材１２〜１４により上下方向に区画され、上から順に冷蔵室２２、製氷室２３または上段冷凍室２４、下段冷凍室２５、野菜室２６が形成される。
【００１９】
これら各貯蔵室に冷風を供給するために、断熱箱体１９の庫内側の奥側部分には、冷却通路１８が形成されている。この冷却通路１８には、冷風の供給先を変化させる図示しないダンパの他に、送風機２７や冷却器２８が配置されている。冷蔵庫本体１００の背面側の下部には、冷風を発生する冷凍サイクルを構成する圧縮機３０および凝縮器３１が配置されている。
【００２０】
断熱箱体１９の上方であって冷蔵庫１００の後部側には、凹部４０が形成されており、主制御部４１、すなわち制御基板が配置されている。主制御部４１の外側はカバー４２で覆われている。主制御部４１は、冷凍サイクルを形成する圧縮機３０等を制御する。
【００２１】
次に、図２に、冷蔵庫１００の天井部部分を分解斜視図で示す。冷蔵庫１００の天井面であって前側の左右両端部には、ヒンジ３（左ヒンジ３ａ、右ヒンジ３ｂ）が設けられており、ヒンジ３の先端下面側には筒状突起１５ａが下方に延びている。図２では左冷蔵室扉２２ａのみ示しているが、右冷蔵室扉２２ｂも右ヒンジ３ｂに係止される。左冷蔵室扉２２ａの幅方向端部には孔１５ｂが形成されており、この孔１５ｂに左ヒンジ３ａの筒状突起１５ａが嵌合して、左冷蔵室扉２２ａを回動可能にする。
【００２２】
有線通信の冷蔵庫では、孔１５ｂにはさらに、主制御部４１と左冷蔵室扉２２ａに配置した操作表示部５０とを電気的に接続している。ここで、操作表示部５０は副制御部であり、すなわち副制御部は操作基板である。
【００２３】
左冷蔵室扉２２ａの右端側には、図示しないヒータを内蔵したシール手段１６が取り付けられており、ヒータにはリード線４１ａを介して電力が供給される。
【００２４】
無線通信する本実施例の冷蔵庫においては、左冷蔵室扉２２aと冷蔵庫１００との間に操作基板５０への電源供給の為の電極５１（Ｖｃｃ用５１ａ,グラウンド用５１ｂ）が設けられている。左冷蔵室扉２２ａを閉めたときに、左冷蔵室扉２２ａの電極と冷蔵庫１００本体の電極が接続される構造となっている。これらの電極は露付きなどでショートしない距離で設置されている。
【００２５】
左冷蔵室扉２２ａを開放した状態での操作基板５０の操作は、有線通信されている冷蔵庫１００においても、扉開放時には操作を受け付けない等の制御が行われているものがあり、操作性に問題はない。また、ヒータの通電においても、ヒータの役割が主に左右フレンチドアの合わせ部分で断熱が薄い部分の露付き防止である為、扉開放時に通電する必要はない。
【００２６】
このように、通信が無線方式であるため、操作基板への配線はＬＥＤの発光や無線通信モジュール、マイコン駆動用のための電源（Ｖｃｃ）とグラウンド（Ｖｓｓ）の２線のみとなる。また、ヒンジ部で電極の接触による配線（通電）方式とすれば、ヒンジ部を通る配線はなくなり、製造時の結線作業や修理サービス時の冷蔵室扉の交換が容易となる。
【００２７】
以上より本実施例は、冷蔵庫本体の制御を行う制御基板と、貯蔵室を開閉する扉に設けられて前記冷蔵庫の機能を選択する操作基板と、を備え、前記操作基板と前記制御基板は離れて配置されて無線通信を行う。
【００２８】
すなわち、制御用基板と操作用基板との通信を無線通信とすることで、ヒンジ部を通る配線の本数を削減する。
【００２９】
また、前記操作基板への電源供給は、電極による電気的接触によって行う。
【００３０】
すなわち、冷蔵室扉２２と冷蔵庫１００本体との間で、電源（Ｖｃｃ）とグラウンド（Ｖｓｓ）の接続を電極接触方式とすれば、配線を削除することが可能となり、製造時の組立てや修理交換時の作業短縮となる。さらに、配線部分でのノイズを低減でき、通信精度を向上できる。
【符号の説明】
【００３１】
３  ヒンジ
２２  冷蔵室
２２ａ  左冷蔵室扉
２２ｂ  右冷蔵室扉
４１  主制御部（制御基板）
４１ａ  リード線
５０  操作表示部（副制御部、操作基板）
１００  冷蔵庫
【図１】
2014020731.tif 000003
【図２】
2014020731.tif 000004